(57)【要約】【課題】湿度の高い環境下でも良好な光伝送特性を有するコネクタ、通信線、電子機器及び光伝送システムを提供する。【解決手段】コネクタは、光学部品と、付勢機構と、を具備する。上記光学部品は、主面を有する光伝送路を支持する本体と、上記本体と一体成型されて上記主面に配置されたレンズと、上記本体と一体成型され上記主面に上記レンズを囲むように設けられた凸部とを有する。上記付勢機構は、上記光学部品を上記主面に垂直な方向であって上記凸部が上記主面から突出する方向に付勢する。【選択図】図３
2019097911.tif 000002
【特許請求の範囲】
【請求項１】
主面を有する光伝送路を支持する本体と、前記本体と一体成型されて前記主面に配置されたレンズと、前記本体と一体成型され前記主面に前記レンズを囲むように設けられた凸部とを有する光学部品と、
前記光学部品を前記主面に垂直な方向であって前記凸部が前記主面から突出する方向に付勢する付勢機構と
を具備するコネクタ。
【請求項２】
主面を有する光伝送路を支持する本体と、前記本体と一体成型されて前記主面に配置されたレンズと、前記本体と一体成型され前記主面に前記レンズを囲むように設けられた凸部とを有する光学部品
を具備し、
前記光学部品は、相手方コネクタから、前記主面に垂直な方向であって前記凸部が前記主面から突出する方向とは反対方向に付勢される
コネクタ。
【請求項３】
請求項２に記載のコネクタであって、
前記相手方コネクタは光学部品を有し、
前記コネクタの光学部品が前記相手方コネクタの光学部品から押圧された状態を前記付勢機構による付勢力に抗して保持するロック部
を更に具備するコネクタ。
【請求項４】
請求項３に記載のコネクタであって、
前記コネクタの光学部品を前記主面に垂直な方向であって前記凸部が前記主面から突出する方向に付勢する付勢機構
を更に具備する
コネクタ。
【請求項５】
請求項４に記載のコネクタであって、
前記相手方コネクタの光学部品は、前記主面に対向する対向面を有する光伝送路を支持する本体と、前記対向面に設けられた前記本体と一体成型された凸部を有し、
前記コネクタの凸部は、前記相手方コネクタの付勢機構により前記相手方コネクタの凸部から押圧される
コネクタ。
【請求項６】
請求項４に記載のコネクタであって、
前記相手方コネクタの光学部品は、前記主面に対向する対向面を有する光伝送路を支持する本体と、前記対向面に設けられた前記本体と一体成型された凸部を有し、
前記コネクタの凸部は、前記相手方コネクタの付勢機構により前記相手方コネクタから前記対向面で押圧され、
前記主面は、前記相手方コネクタの付勢機構により前記相手方コネクタの光学部品の凸部から押圧される
コネクタ。
【請求項７】
光伝送路と、
主面を有する前記光伝送路の一端部を支持する本体と、前記本体と一体成型されて前記主面に配置されたレンズと、前記本体と一体成型され前記主面に前記レンズを囲むように設けられた凸部とを有する光学部品と、前記光学部品を前記主面に垂直な方向であって前記凸部が前記主面から突出する方向に付勢する付勢機構とを備えるコネクタと
を具備する通信線。
【請求項８】
光伝送路と、
主面を有する前記光伝送路の一端部を支持する本体と、前記本体と一体成型されて前記主面に配置されたレンズと、前記本体と一体成型され前記主面に前記レンズを囲むように設けられた凸部とを有する光学部品を備えるコネクタと
を具備し、
前記光学部品は、前記コネクタと接合する相手方コネクタから、前記主面に垂直な方向であって前記凸部が前記主面から突出する方向とは反対方向に付勢される
通信線。
【請求項９】
主面を有する光伝送路を支持する本体と、前記本体と一体成型されて前記主面に配置されたレンズと、前記本体と一体成型され前記主面に前記レンズを囲むように設けられた凸部とを有する光学部品と、前記光学部品を前記主面に垂直な方向であって前記凸部が前記主面から突出する方向に付勢する付勢機構とを備えるコネクタと、
前記光伝送路からの信号を受信又は前記光伝送路へ信号を送信する伝達部と
を具備する電子機器。
【請求項１０】
主面を有する光伝送路を支持する本体と、前記本体と一体成型されて前記主面に配置されたレンズと、前記本体と一体成型され前記主面に前記レンズを囲むように設けられた凸部とを有する光学部品を備えるコネクタと、
前記光伝送路から信号を受信又は前記光伝送路へ信号を送信する伝達部と
を具備し、
前記光学部品は、前記コネクタと接合する相手方コネクタから、前記主面に垂直な方向であって前記凸部が前記主面から突出する方向とは反対方向に付勢される
電子機器。
【請求項１１】
主面を有する光伝送路を支持する本体と、前記本体と一体成型されて前記主面に配置されたレンズと、前記本体と一体成型され前記主面に前記レンズを囲むように設けられた凸部とを有する光学部品と、前記光学部品を前記主面に垂直な方向であって前記凸部が前記主面から突出する方向に付勢する付勢機構とを備えるコネクタと、
前記主面と対向配置される対向面を有する光伝送路を支持する本体と、前記対向面を有する本体と一体成型されて前記対向面に配置されたレンズとを有する光学部品を備え、前記コネクタと接合する相手方コネクタと
を具備し、
前記凸部は、前記コネクタの光学部品が前記付勢機構により付勢されて、前記相手方コネクタの光学部品を前記対向面側で押圧する
光伝送システム。
【請求項１２】
主面を有する光伝送路を支持する本体と、前記本体と一体成型されて前記主面に配置されたレンズと、前記本体と一体成型され前記主面に前記レンズを囲むように設けられた凸部とを有する光学部品を備えるコネクタと、
前記主面と対向配置される対向面を有し光伝送路を支持する本体と、前記対向面を有する本体と一体成型されて前記対向面に配置されたレンズとを有する光学部品と、付勢機構とを備え、前記コネクタと接合する相手方コネクタと
を具備し、
前記凸部は、前記相手方コネクタの光学部品が前記付勢機構により前記主面に垂直な方向であって前記凸部が前記主面から突出する方向と反対の方向に付勢されて、前記相手方コネクタの光学部品から前記対向面側で押圧される
光伝送システム。
【請求項１３】
請求項１１又は請求項１２に記載の光伝送システムであって、
前記コネクタの光学部品と前記相手方コネクタの光学部品とが押圧されて当接した状態を前記付勢機構による付勢力に抗して保持するロック部
を更に具備する光伝送システム。
【発明の詳細な説明】
【技術分野】
【０００１】
本技術は、光データ伝送に用いられるコネクタ、通信線、電子機器及び光伝送システムに関する。
【背景技術】
【０００２】
昨今の通信容量の急激な増大に伴い、光を用いた信号の伝送が増えてきている。光伝送システムにおける光接続部において、相互に嵌合するコネクタのレンズ同士を離間して対向させて接続する場合、対向配置されるレンズ間に水分やごみ等が侵入することにより、光信号伝送が滞る。【０００３】
これに対して、例えば湿度の高い環境下においても安定した光信号伝送を行うために、防水部材、弾性部材、密閉用部材、Ｏリング等のシール部材等を用いて防水機能を持たせることが提案されている（例えば、特許文献１及び２参照。）。
【先行技術文献】
【特許文献】
【０００４】
【特許文献１】特開２００５−３２６５２３号公報
【特許文献２】特開２０１６−８０７６３号公報
【発明の概要】
【発明が解決しようとする課題】
【０００５】
以上のような事情に鑑み、本技術の目的は、湿度の高い環境下でも良好な光伝送特性を有するコネクタ、通信線、電子機器及び光伝送システムを提供することにある。
【課題を解決するための手段】
【０００６】
上記目的を達成するため、本技術に係るコネクタは、光学部品と、付勢機構と、を具備する。
上記光学部品は、主面を有する光伝送路を支持する本体と、上記本体と一体成型されて上記主面に配置されたレンズと、上記本体と一体成型され上記主面に上記レンズを囲むように設けられた凸部とを有する。
上記付勢機構は、上記光学部品を上記主面に垂直な方向であって上記凸部が上記主面から突出する方向に付勢する。【０００７】
このような構成によれば、主面と対向配置される対向面にレンズを有する光学部品を備える接合相手となる相手方コネクタと嵌合し接合した際に、付勢機構により凸部が相手方コネクタの光学部品を対向面側で押圧する。これにより、コネクタの光学部品の主面と相手方コネクタの対向面との間に、凸部により密閉空間が形成され、レンズはこの密閉空間内に配置される。【０００８】
コネクタと相手方コネクタが嵌合している状態では、外部から密閉空間内へのごみや水分の侵入は凸部によって抑制される。このため、光接続時に、ごみや水分の侵入によってコネクタのレンズと相手方コネクタのレンズとの間で光信号が減衰し、光伝送が滞るということが抑制される。したがって、例えば湿度の高い環境下においても良好な光伝送特性を得ることができる。【０００９】
本技術に係るコネクタは、光学部品を具備する。
上記光学部品は、主面を有する光伝送路を支持する本体と、上記本体と一体成型されて上記主面に配置されたレンズと、上記本体と一体成型され上記主面に上記レンズを囲むように設けられた凸部とを有する。
上記光学部品は、相手方コネクタから、上記主面に垂直な方向であって上記凸部が上記主面から突出する方向とは反対方向に付勢される【００１０】
このような構成によれば、主面と対向配置される対向面にレンズを有する光学部品を備える接合相手となる相手方コネクタと嵌合し接合した際に、凸部は、対向面側で相手方コネクタの光学部品から押圧される。これにより、コネクタの光学部品の主面と相手方コネクタの対向面との間に、凸部により密閉空間が形成され、レンズはこの密閉空間内に配置される。【００１１】
コネクタと相手方コネクタが嵌合している状態では、外部から密閉空間内へのごみや水分の侵入は凸部によって抑制される。このため、光接続時に、ごみや水分の侵入によってコネクタのレンズと相手方コネクタのレンズとの間で光信号が減衰し、光伝送が滞るということが抑制される。したがって、例えば湿度の高い環境下においても良好な光伝送特性を得ることができる。【００１２】
上記相手方コネクタは光学部品を有し、上記コネクタの光学部品が上記相手方コネクタの光学部品から押圧された状態を上記付勢機構による付勢力に抗して保持するロック部を更に具備してもよい。【００１３】
上記コネクタの光学部品を上記主面に垂直な方向であって上記凸部が上記主面から突出する方向に付勢する付勢機構を更に具備してもよい。【００１４】
上記相手方コネクタの光学部品は、上記主面に対向する対向面を有する光伝送路を支持する本体と、上記対向面に設けられた上記本体と一体成型された凸部を有し、上記コネクタの凸部は、上記相手方コネクタの付勢機構により上記相手方コネクタの凸部から押圧されてもよい。【００１５】
上記相手方コネクタの光学部品は、上記主面に対向する対向面を有する光伝送路を支持する本体と、上記対向面に設けられた上記本体と一体成型された凸部を有し、上記コネクタの凸部は、上記相手方コネクタの付勢機構により上記相手方コネクタから上記対向面で押圧され、上記主面は、上記相手方コネクタの付勢機構により上記相手方コネクタの光学部品の凸部から押圧されてもよい。【００１６】
本技術に係る通信線は、光伝送路と、コネクタと、を具備する。
上記コネクタは、主面を有する上記光伝送路の一端部を支持する本体と、上記本体と一体成型されて上記主面に配置されたレンズと、上記本体と一体成型され上記主面に上記レンズを囲むように設けられた凸部とを有する光学部品と、上記光学部品を上記主面に垂直な方向であって上記凸部が上記主面から突出する方向に付勢する付勢機構とを備える。【００１７】
本技術に係る通信線は、光伝送路と、コネクタと、を具備する。
上記コネクタは、主面を有する上記光伝送路の一端部を支持する本体と、上記本体と一体成型されて上記主面に配置されたレンズと、上記本体と一体成型され上記主面に上記レンズを囲むように設けられた凸部とを有する光学部品を備える。
上記光学部品は、上記コネクタと接合する相手方コネクタから、上記主面に垂直な方向であって上記凸部が上記主面から突出する方向とは反対方向に付勢される。【００１８】
本技術に係る電子機器は、コネクタと、伝達部とを具備する。
上記コネクタは、主面を有する光伝送路を支持する本体と、上記本体と一体成型されて上記主面に配置されたレンズと、上記本体と一体成型され上記主面に上記レンズを囲むように設けられた凸部とを有する光学部品と、上記光学部品を上記主面に垂直な方向であって上記凸部が上記主面から突出する方向に付勢する付勢機構とを備える。
上記伝達部は、上記光伝送路からの信号を受信又は上記光伝送路へ信号を送信する。【００１９】
本技術に係る電子機器は、コネクタと、伝達部とを具備する。
上記コネクタは、主面を有する光伝送路を支持する本体と、上記本体と一体成型されて上記主面に配置されたレンズと、上記本体と一体成型され上記主面に上記レンズを囲むように設けられた凸部とを有する光学部品を備える。
上記伝達部は、上記光伝送路から信号を受信又は上記光伝送路へ信号を送信する。
上記光学部品は、上記コネクタと接合する相手方コネクタから、上記主面に垂直な方向であって上記凸部が上記主面から突出する方向とは反対方向に付勢される。【００２０】
本技術に係る光伝送システムは、コネクタと、相手方コネクタとを具備する。
上記コネクタは、主面を有する光伝送路を支持する本体と、上記本体と一体成型されて上記主面に配置されたレンズと、上記本体と一体成型され上記主面に上記レンズを囲むように設けられた凸部とを有する光学部品と、上記光学部品を上記主面に垂直な方向であって上記凸部が上記主面から突出する方向に付勢する付勢機構とを備える。
上記相手方コネクタは、上記主面と対向配置される対向面を有する光伝送路を支持する本体と、上記対向面を有する本体と一体成型されて上記対向面に配置されたレンズとを有する光学部品を備え、上記コネクタと接合する。
上記凸部は、上記コネクタの光学部品が上記付勢機構により付勢されて、上記相手方コネクタの光学部品を上記対向面側で押圧する。【００２１】
本技術に係る光伝送システムは、コネクタと、相手方コネクタとを具備する。
上記コネクタは、主面を有する光伝送路を支持する本体と、上記本体と一体成型されて上記主面に配置されたレンズと、上記本体と一体成型され上記主面に上記レンズを囲むように設けられた凸部とを有する光学部品を備える。
上記相手方コネクタは、上記主面と対向配置される対向面を有し光伝送路を支持する本体と、上記対向面を有する本体と一体成型されて上記対向面に配置されたレンズとを有する光学部品と、付勢機構とを備え、上記コネクタと接合する。
上記凸部は、上記相手方コネクタの光学部品が上記付勢機構により上記主面に垂直な方向であって上記凸部が上記主面から突出する方向と反対の方向に付勢されて、上記相手方コネクタの光学部品から上記対向面側で押圧される。【００２２】
上記コネクタの光学部品と上記相手方コネクタの光学部品とが押圧されて当接した状態を上記付勢機構による付勢力に抗して保持するロック部を更に具備してもよい。
【発明の効果】
【００２３】
以上のように、本技術によれば、良好な光伝送特性を提供することができる。
なお、ここに記載された効果は必ずしも限定されるものではなく、本開示中に記載されたいずれかの効果であってもよい。
【図面の簡単な説明】
【００２４】
【図１】本技術の第１の実施形態に係る光伝送システムの構成を示す概念図である。
【図２】上述の光伝送システムの光接続部を構成する第１のコネクタ及び第２のコネクタの断面図であり、第１のコネクタと第２のコネクタとを嵌合する前の状態を示す図である。
【図３】上述の光伝送システムの光接続部を構成する第１のコネクタと第２のコネクタとを嵌合した時の断面図である。
【図４】図３のIV−IV線で切断した部分拡大断面図であり、第１の光学部品と第２の光学部品の光接続部の状態を示す図である。
【図５】上述の光伝送システムの光接続部の部分拡大断面図であり、第１の光学部品と第２の光学部品の光接続部の状態を示す図である。
【図６】第２の実施形態に係る光伝送システムの光接続部を構成する第１のコネクタ及び第２のコネクタの部分拡大図であり、第１のコネクタと第２のコネクタとを嵌合する前の状態を示す図である。
【図７】第２の実施形態における第１のコネクタと第２のコネクタとを嵌合した時の部分拡大断面図であり、第１の光学部品と第２の光学部品の状態を示す図である。
【図８】図７のVIII−VIII線で切断した断面図である。
【図９】第３の実施形態の光伝送システムの光接続部を構成する第１のコネクタと第２のコネクタとを嵌合した状態の部分拡大断面図であり、第１の光学部品と第２の光学部品の状態を示す図である。
【発明を実施するための形態】
【００２５】
以下、本技術に係る実施形態を、図面を参照しながら説明する。
【００２６】
＜第１の実施形態＞
［光伝送システム］
本実施形態における光伝送システムは、繰り返し着脱が可能な光コネクタ接続部を有する。
【００２７】
図１は、光伝送システム１の一構成を示す概念図である。
光伝送システム１は、第１の電子機器１００と、第２の電子機器２００と、これらの電子機器を接続するためのコネクタ付き光ケーブル３００とを備える。
【００２８】
第１の電子機器１００は、レセプタクルを構成する第２のコネクタ２０Ａと、伝達部としての送信／受信部１０１と、光伝送路としての光ファイバ２６Ａと、を有している。
【００２９】
第２の電子機器２００は、レセプタクルを構成する第２のコネクタ２０Ｂと、伝達部としての送信／受信部２０１と、光伝送路としての光ファイバ２６Ｂと、を有している。
【００３０】
コネクタ付き光ケーブル３００は通信線である。コネクタ付き光ケーブル３００は、光ケーブル１６と、光ケーブル１６の一端に設けられた一端側プラグとしての第１のコネクタ１０Ａと、光ケーブル１６の他端に設けられた他端側プラグとしての第１のコネクタ１０Ｂとを有している。
通信線には、光伝送路を備える光コード、光ケーブル等がある。
【００３１】
光ケーブル１６は、光伝送路としての光ファイバ等の光導波路と、この光ファイバを被覆する被覆部と、から構成される。
【００３２】
第１の電子機器１００に用いられる光伝送路、第２の電子機器２００に用いられる光伝送路、光ケーブル１６に用いられる光伝送路は、光ファイバ等の光導波路であり、典型的には光ファイバである。ここでは光ファイバを用いて説明する。
【００３３】
第１のコネクタ１０Ａ（１０Ｂ）と第２のコネクタ２０Ａ（２０Ｂ）とを嵌合することにより、第１の電子機器１００（第２の電子機器２００）と、光ケーブル１６とは光接続される。
【００３４】
本実施形態の光伝送システム１は、例えばコネクタの挿抜が行われやすい民生機器間の通信網に適用することができる。民生機器間の通信網の例としては、家庭内の通信網や自動車内での通信網等がある。
【００３５】
家庭内での通信網において、電子機器としては、例えば、ルーター、テレビ、ディスクレコーダ、オーディオ機器、電話、パーソナルコンピュータ、ゲーム機、照明、冷蔵庫、エアコン、光電変換器等があり、例えば家電製品のネットワーク化等が可能となる。
【００３６】
光電変換器は、光信号を電気信号に変換、又は、電気信号を光信号に変換することが可能な機器である。
【００３７】
また、自動車内での通信網において、電子機器としては、ナビゲーションコントロールユニット、ＧＰＳ（Global Positioning System）、表示モニタ等がある。
【００３８】
第１のコネクタ１０Ａ（１０Ｂ）は、第１の光学部品１２Ａ（１２Ｂ）を有する。
第２のコネクタ２０Ａ（２０Ｂ）は、第２の光学部品２２Ａ（２２Ｂ）を有する。
各コネクタの詳細については後述する。
【００３９】
第２のコネクタ２０Ａと第２のコネクタ２０Ｂとは同様の構成を有する。
ここでは、第１の電子機器１００、第２の電子機器２００それぞれに設けられる第２のコネクタを区別するために、それぞれ符号２０Ａ、２０Ｂを付して説明するが、特に区別する必要がない場合は、単に第２のコネクタ２０と称して説明する。第２の光学部品２２Ａ及び第２の光学部品２２Ｂについても同様に、特に区別する必要がない場合は、単に第２の光学部品２２と称する。
【００４０】
第１のコネクタ１０Ａと第１のコネクタ１０Ｂとは同様の構成を有する。
コネクタ付き光ケーブル３００の一端側プラグと他端側プラグとを区別するために、それぞれ符号１０Ａ、１０Ｂを付して説明するが、特に区別する必要がない場合は、単に第１のコネクタ１０と称して説明する。第１の光学部品１２Ａ及び第１の光学部品１２Ｂについても同様に、特に区別する必要がない場合は、単に第１の光学部品１２と称する。
【００４１】
また、ここでは、相互に嵌合可能な２つのコネクタをそれぞれ区別するために、便宜的に第１のコネクタ及び第２のコネクタと称して説明する。
第１のコネクタは、第２のコネクタからみて第２のコネクタの光接続相手方となる相手方コネクタである。また、第２のコネクタは、第１のコネクタからみて第１のコネクタの光接続相手方となる相手方コネクタである。
【００４２】
本実施形態では、コネクタ付き光ケーブル３００に用いられるコネクタ（プラグ）を第１のコネクタ１０、第１の電子機器１００又は第２の電子機器２００に用いられるコネクタ（レセプタクル）を第２のコネクタ２０と称する。
【００４３】
第１のコネクタ１０の第１の光学部品１２及び第２のコネクタ２０の第２の光学部品２２は、いずれもプラグ側のコネクタにもレセプタクル側のコネクタにも適用することができる。
【００４４】
第１の電子機器１００（第２の電子機器２００）が送信側機器である場合、第２の光学部品２２Ａ（２２Ｂ）は光出力部を構成し、これに対応して第１のコネクタ１０Ａ（１０Ｂ）の第１の光学部品１２Ａ（１２Ｂ）は光入力部を構成する。
【００４５】
一方、第１の電子機器１００（第２の電子機器２００）が受信側機器である場合、第２の光学部品２２Ａ（２２Ｂ）は光入力部を構成し、これに対応して第１のコネクタ１０Ａ（１０Ｂ）の第１の光学部品１２Ａ（１２Ｂ）は光出力部を構成する。
【００４６】
第２の光学部品２２Ａ（２２Ｂ）と送信／受信部とは光ファイバ２６Ａ（２６Ｂ）を介して接続されている。第２の光学部品２２Ａ（２２Ｂ）は、送信／受信部１０１（２０１）に接続する光ファイバ２６Ａ（２６Ｂ）の一端を支持する。
【００４７】
送信／受信部１０１（２０１）は、第１の電子機器１００（第２の電子機器２００）が送信側機器である場合には、データ（送信データ）を光信号に変換し、当該光信号を、光ファイバ２６Ａ（２６Ｂ）を通じて第２の光学部品２２Ａ（２２Ｂ）に供給する。
【００４８】
一方、送信／受信部１０１（２０１）は、第１の電子機器１００（第２の電子機器２００）が受信機器である場合には、第２の光学部品２２Ａ（２２Ｂ）から光ファイバ２６Ａ（２６Ｂ）を通じて供給される光信号からデータ（受信データ）を得、これを電気信号に変換して出力する。
【００４９】
このように、本実施形態では、送信／受信部１０１及び２０１は、データの受信又は送信の少なくともいずれか一方が可能に構成されるとともに、光信号を電気信号に変換、又は、電気信号を光信号に変換する光電変換部としても機能する。
【００５０】
本実施形態では、光電変換部は、電気信号を光信号に変換する電気／光信号変換の機能のみを有する場合、光信号を電気信号に変換する光／電気信号変換の機能のみを有する場合、電気／光信号変換と光／電気信号変換の両方の機能を有する場合を含む。
【００５１】
［コネクタ］
次に、第１の電子機器１００及び第２の電子機器２００それぞれに用いられる第２のコネクタ（レセプタクル）２０と、コネクタ付き光ケーブル３００の第１のコネクタ（プラグ）１０について詳細に説明する。
【００５２】
図２は、光伝送システム１の光接続部を構成する第１のコネクタ１０と第２のコネクタ２０の断面図であり、第１のコネクタ１０と第２のコネクタ２０とを嵌合する前の状態を示す。
【００５３】
図３は、第１のコネクタ１０と第２のコネクタ２０とを嵌合した状態を示す断面図である。
【００５４】
（第１のコネクタの構成）
図２及び図３に示すように、第１のコネクタ１０は、第１の光学部品１２と、第１のハウジング１１と、を備える。
【００５５】
第１の光学部品１２は、第１の光学部品本体（以下、単に「第１の本体」と称する。）１２１と、第１のレンズ１２２と、第１の凸部１２３と、を有する。
第１の本体１２１は第１の主面１２４を有する。
【００５６】
図１に示すように、第１のコネクタ１０Ａと第１のコネクタ１０Ｂとの間には光ケーブル１６が配設される。光ケーブル１６の光ファイバの一端部は第１のコネクタ１０Ａによって支持され、他端部は第１のコネクタ１０Ｂによって支持される。
【００５７】
第１の本体１２１には、光ケーブル１６の光ファイバの端部が差し込まれる光ファイバ挿入穴（図示せず）が設けられる。光ケーブル１６の光ファイバの端部は、光ファイバと第１のレンズ１２２との光軸が一致するように、光ファイバ挿入穴によって第１の本体１２１内で支持される。光ケーブル１６の端部は、第１の本体１２１により支持され、第１の主面１２４と対向配置される反対側の他の主面１２５側から第１のコネクタ１０の外部へ引き出される。
【００５８】
第１のレンズ１２２は、第１の本体１２１と一体射出成型されて第１の主面１２４上に形成される。第１のレンズ１２２は１つ又は複数形成される。
【００５９】
第１のレンズ１２２は、第１の本体１２１内に支持されている光ケーブル１６から出射される光信号を直線光にして第１の光学部品１２から出射する。また、第１のレンズ１２２には、第２のコネクタ２０から出射された光信号が入射される。
【００６０】
第１の凸部１２３は、第１の本体１２１と一体射出成型されて第１の主面１２４上に形成される。第１の凸部１２３は、第１の主面１２４上で、第１のレンズ１２２を囲むように壁状に形成される。
【００６１】
第１の凸部１２３は、第１の主面１２４を平面視したときに矩形の額縁状の平面形状を有する。第１の凸部１２３は、第１の主面１２４に対し垂直な高さ方向において、額縁の幅が均一となっている。第１の凸部１２３の頂部は第１の主面１２４と平行な平坦面である。
【００６２】
第１の本体１２１、第１のレンズ１２２及び第１の凸部１２３は、典型的にはポリエーテルイミドを用いて形成される。
【００６３】
第１のハウジング１１は、第１の光学部品１２を保持する。
第１のハウジング１１の一端部には、第１の光学部品１２が挿入され、第１の光学部品１２を保持する凹部１１１が設けられている。第１の光学部品１２は、凹部１１１に挿入され第１のハウジング１１内で、その位置が移動しないように固定される。
【００６４】
第１の光学部品１２は、第１の主面１２４に配置される第１の凸部１２３及び第１のレンズ１２２が凹部１１１内で第１のハウジング１１から突出するように支持される。
【００６５】
凹部１１１は、第１のハウジング１１内に第１の光学部品１２が配置された状態で、凹部１１１内で、凹部１１１の開口位置よりも低い位置に第１の凸部１２３の頂部が位置するように設けられる。
【００６６】
これにより、第１のハウジング１１内に第１の光学部品１２が配置された状態で、第１のコネクタ１０の一端部側に凹部が形成される。
【００６７】
第１のハウジング１１は、第１のコネクタ１０と第２のコネクタ２０との嵌合時に、後述する第２のコネクタ２０の挿入用凹部２１１に挿入される。第１のコネクタ１０と第２のコネクタ２０との嵌合時、第１のコネクタ１０の一端部側に形成される凹部内に、第１の光学部品１２と第２の光学部品２２との当接部分が位置する。
【００６８】
第１のハウジング１１の一端部の周縁部には、第１のコネクタ１０を第２のコネクタ２０の挿入用凹部２１１に挿入するときのガイドとなるテーパ部１１２が設けられている。
【００６９】
第１のハウジング１１の外側面には、第１のコネクタ１０と第２のコネクタ２０とを位置決めして第１のコネクタ１０と第２のコネクタ２０とを嵌合するロック部７０の一部を構成するロック孔１７が設けられている。
【００７０】
（第２のコネクタの構成）
図１及び図２に示すように、第２のコネクタ２０は、第２の光学部品２２と、第２の付勢機構としての第２の付勢バネ２３と、第２のハウジング２１と、を備える。
【００７１】
第２の光学部品２２は、第２の光学部品本体（以下、単に「第２の本体」と称する。）２２１と、第２のレンズ２２２と、第２の凸部２２３と、を有する。
第２の本体２２１は第２の主面２２４を有する。
【００７２】
第１の光学部品１２を備える第１のコネクタ１０からみて、相手方コネクタである第２のコネクタ２０の第２の光学部品２２の第２の主面２２４は、第１の主面１２４に対向配置される対向面である。
【００７３】
第２の光学部品２２を備える第２のコネクタ２０からみて、相手方コネクタである第１のコネクタ１０の第１の光学部品１２の第１の主面１２４は、第２の主面２２４に対向配置される対向面である。
【００７４】
第２の本体２２１には、光ファイバ２６の端部が差し込まれる光ファイバ挿入穴（図示せず）が設けられる。光ファイバ２６の端部は、光ファイバ２６と第２のレンズ２２２との光軸が一致するように、光ファイバ挿入穴によって第２の本体２２１内で支持される。光ファイバ２６は、第２の本体２２１により支持され、第２の主面２２４と対向配置される反対側の他の主面２２５側から第２のコネクタ２０の外部へ引き出される。
【００７５】
第２のレンズ２２２は、第２の本体２２１と一体射出成型されて第２の主面２２４上に形成される。第２のレンズ２２２は、嵌合する相手方の第１のコネクタ１０の第１の光学部品１２に設けられる第１のレンズ１２２と同じ数設けられる。
【００７６】
第２のレンズ２２２は、第２の本体２２１内に支持されている光ファイバ２６から出射される光信号を直線光にして第２の光学部品２２から出射する。また、第２のレンズ２２２には、第１のコネクタ１０から出射された光信号が入射される。
【００７７】
第２の凸部２２３は、第２の本体２２１と一体射出成型されて第２の主面２２４上に形成される。第２の凸部２２３は、第２の主面２２４上で、第２のレンズ２２２を囲むように壁状に形成される。
【００７８】
第２の凸部２２３は、第１の凸部１２３と同様に、第２の主面２２４を平面視したときに矩形の額縁状の平面形状を有する。第２の凸部２２３は、第２の主面２２４に対し垂直な高さ方向において、額縁の幅が均一となっている。第２の凸部２２３の頂部は第２の主面２２４と平行な平坦面である。
【００７９】
第１の凸部１２３と第２の凸部２２３は互いに合同な形状である。第１のコネクタ１０と第２のコネクタ２０とを嵌合したときに、第１の凸部１２３と第２の凸部２２３それぞれの頂部が当接し、かつ、第１のレンズ１２２と第２のレンズ２２２とが離間して配置されるように、第１の凸部１２３及び第２の凸部２２３の高さは設定される。
【００８０】
第２の本体２２１、第２のレンズ２２２及び第２の凸部２２３は、典型的にはポリエーテルイミドを用いて形成される。
【００８１】
第２の付勢バネ２３は、第２の本体２２１の第２の主面２２４と対向する他の主面２２５側に配置される。
第２の付勢バネ２３は、第２の光学部品２２を第２の主面２２４に垂直な方向であって第２の凸部２２３が第２の主面２２４から突出する方向に付勢する付勢機構である。
【００８２】
第２の付勢バネ２３は、第１のコネクタ１０と第２のコネクタ２０とを嵌合したときに縮設され、第２の光学部品２２が第１の光学部品１２を第２の主面２２４に垂直な方向で押すように、第２の光学部品２２を付勢する。
【００８３】
第２のハウジング２１は、第２の光学部品２２と第２の付勢バネ２３を保持する。
【００８４】
第２のハウジング２１の一端部には、第２の光学部品２２が挿入され、第２の光学部品２２を保持する挿入用凹部２１１が設けられている。第２の光学部品２２は、第２のハウジング２１内で、第２の主面２２４と垂直な方向、換言すると、第２の付勢バネ２３の縮設、伸張する方向に移動可能となっている。
【００８５】
第２の光学部品２２は、第２の主面２２４に配置される第２の凸部２２３及び第２のレンズ２２２が挿入用凹部２１１内で第２のハウジング２１から突出するように支持される。
【００８６】
挿入用凹部２１１は、第２のハウジング２１内に第２の光学部品２２が配置された状態で、挿入用凹部２１１の開口位置よりも低い位置に第２の凸部２２３の頂部が位置するように設けられる。
【００８７】
これにより、第２のハウジング２１内に第２の光学部品２２が配置された状態で、第２のコネクタ２０の一端部側に凹部が形成される。
【００８８】
第２のハウジング２１の挿入用凹部２１１内には、第１のコネクタ１０と第２のコネクタ２０との嵌合時に、第１のコネクタ１０が挿入される。
【００８９】
第２のハウジング２１の外側面には、ロック部７０の一部を構成するロック部材２７が設けられる。
ロック部材２７は、その一部が挿入用凹部２１１内に向かって突出する山折り状態のバネ部材からなる。
【００９０】
（ロック部の構成）
ロック部７０は、ロック孔１７とロック部材２７と、を有する。
【００９１】
ロック部材２７の山折り部分がロック孔１７に挿入され、第１の光学部品１２が第２の付勢バネ２３の付勢力に抗って、ロック部材２７がロック孔１７に係り止めされることにより、第１のコネクタ１０と第２のコネクタ２０とは嵌合する。
【００９２】
第１のコネクタ１０が第２のコネクタ２０の挿入用凹部２１１内に挿入される時、及び、第１のコネクタ１０が第２のコネクタ２０から抜去される時は、第１のコネクタ１０及び第２のコネクタ２０が第１の主面１２４及び第２の主面２２４と垂直な方向でスライド移動する。このスライド移動時、ロック部材２７の山折り部分は、第１のハウジング１１の外側面により第１のハウジング１１の外側に押し出される。
【００９３】
第１のコネクタ１０が第２のコネクタ２０に挿入され、ロック部材２７とロック孔１７とが対応する位置まで第１のコネクタ１０がスライド移動されると、ロック部材２７の山折り部分がロック孔１７に嵌る。これにより、第１のコネクタ１０と第２のコネクタ２０とが嵌合されて位置決めされ、第２のコネクタ２０からの第１のコネクタ１０の抜けが規制される。
【００９４】
［第１のコネクタと第２のコネクタの嵌合時の構成］
図３及び図４を用いて以下説明する。
図４は、第１の光学部品１２と第２の光学部品２２との光接続部の部分拡大断面図である。図４は、図３のIV−IV線で切断した断面図に相当する。図４において、第１のハウジング１１及び第２のハウジング２１の図示を省略している。
【００９５】
第１のコネクタ１０と第２のコネクタ２０とが嵌合した状態では、ロック部７０により、第１の光学部品１２と第２の光学部品２２とが押圧されて当接した状態が保持され、第１の光学部品１２と第２の光学部品２２の位置は固定されている。
【００９６】
嵌合状態では、第１の光学部品１２の第１の主面１２４と第２の光学部品２２の第２の主面２２４とは離間して平行に対向配置される。第１のレンズ１２２と第２のレンズ２２２とはそれぞれレンズ同士が対応して離間して対向配置される。
【００９７】
ロック部７０により第１のコネクタ１０と第２のコネクタ２０とが嵌合した状態で、第２の付勢バネ２３は縮設される。第２の付勢バネ２３が縮設されることにより、第１の光学部品１２は、第２の付勢バネ２３により、第２の光学部品２２を介して、第１の主面１２４に垂直な方向であって、第１の凸部１２３が第１の主面１２４から突出する方向とは逆の方向に押される。
【００９８】
第２の付勢バネ２３により、第２の凸部２２３の頂部は、第２の主面２２４に垂直な方向であって、第２の凸部２２３が第２の主面２２４から突出する方向に、第１の光学部品１２の第１の主面１２４側を押圧し、第１の光学部品１２と当接する。詳細には、第２の凸部２２３の頂部は、第１の主面１２４側にある第１の凸部１２３の頂部を押圧する。
【００９９】
また、第１の凸部１２３の頂部は、第２の光学部品２２に押圧され、第２の主面２２４側で第２の光学部品２２に当接される。詳細には、第１の凸部１２３の頂部は、第２の主面２２４側にある第２の凸部２２３の頂部に押圧され、第２の凸部２２３と当接する。
【０１００】
このように、第２の凸部２２３の頂部が第１の凸部１２３の頂部を押圧し、両者は密着して当接される。これにより、第１の主面１２４と第２の主面２２４との間には、第１の凸部１２３と第２の凸部２２３とによって密閉空間７１が形成される。第１のレンズ１２２及び第２のレンズ２２２は、この密閉空間７１内に配置される。
【０１０１】
このように、本実施形態においては、第１の光学部品１２と第２の光学部品２２とは端面非接触で光接続される。
【０１０２】
図５は、光接続部の部分拡大断面図である。図５では、第１のハウジング１１及び第２のハウジング２１の図示を省略している。
【０１０３】
図３に示すように、第１のコネクタ１０と第２のコネクタ２０とが嵌合した状態では、第１のハウジング１１が第２のハウジング２１の内部に挿入されるので、第１のハウジング１１と第２のハウジング２１により、外部から第１の光学部品１２と第２の光学部品２２との光接続部にごみや水分が侵入しにくくなっている。
【０１０４】
更に、本実施形態においては、第１のレンズ１２２が配置される第１の主面１２４と第２のレンズ２２２が配置される第２の主面２２４との間に、第１の凸部１２３と第２の凸部２２３とによって第１のレンズ１２２及び第２のレンズ２２２を囲む壁が形成され、密閉空間７１が形成される。
【０１０５】
これにより、図５に示すように、密閉空間７１内へのごみや水分３０の侵入が、第１の凸部１２３と第２の凸部２２３とにより抑制される。その結果、ごみや水分３０の侵入によって第１のレンズ１２２と第２のレンズ２２２との間で光信号が減衰し、光伝送が滞るということが抑制される。したがって、光伝送システムにおいて、例えば湿度の高い環境下においても良好な光伝送特性を得ることができる。
【０１０６】
また、本実施形態では、第１のコネクタ１０と第２のコネクタ２０とが繰り返し挿抜されても、第１の凸部１２３と第２の凸部２２３とが劣化しにくい。
すなわち、第１の凸部１２３の頂部と第２の凸部２２３の頂部とが押圧により当接されるので、繰り返しの挿抜によって、第１の凸部１２３と第２の凸部２２３とが擦れて摩耗するということがなく、第１の凸部１２３と第２の凸部２２３の劣化が抑制される。
これにより、長期にわたって安定した光伝送特性を提供することができる。
【０１０７】
また、本実施形態では、一体成型された第１の本体１２１及び第１の凸部１２３と、一体成型された第２の本体２２１及び第２の凸部２２３により、密閉空間７１が形成される。
本体の主面及び凸部には、剛性の高い、例えばポリエーテルイミドのような樹脂が用いられている。
【０１０８】
例えば、柔軟性を有するゴム状、スポンジ状といった材料からなる密封用部材を用いる場合では、長時間の使用や挿抜などにより、柔軟性が損なわれやすく、シール特性が劣化しやすい傾向がある。
【０１０９】
これに対し、本実施形態では、密閉空間７１を形成するにあたり、剛性の高い材料を用いているので、長時間の使用や挿抜などにより劣化しにくく、長期にわたって安定した光伝送特性を提供することができる。
【０１１０】
また、本実施形態では、第１の光学部品１２（第２の光学部品２２）において、第１の本体１２１（第２の本体２２１）と、第１のレンズ１２２（第２のレンズ２２２）と、第１の凸部１２３（第２の凸部２２３）とは一体成型される。
【０１１１】
一体成型することにより、第１の本体１２１（第２の本体２２１）内に挿入され、支持される光ケーブル１６の光ファイバ（光ファイバ２６）と第１のレンズ１２２（第２のレンズ２２２）との位置合わせが容易となる。
【０１１２】
一体成型することにより、第１の本体１２１（第２の本体２２１）の第１の主面１２４（第２の主面２２４）、第１のレンズ１２２（第２のレンズ２２２）に対して位置精度よく第１の凸部１２３（第２の凸部２２３）を形成することができる。その結果、第１のコネクタ１０と第２のコネクタ２０との嵌合時の第１の凸部１２３と第２の凸部２２３との当接精度を良好なものとすることができる。
【０１１３】
ここで、第１のコネクタ１０と第２のコネクタ２０との嵌合時の位置決めに、位置決めピンを用いてもよい。この場合、嵌合時に、第１の光学部品１２と第２の光学部品２２とが互いに対向する面それぞれに、位置決めピン及び位置決め穴が配置される。
【０１１４】
例えば、第１の光学部品１２の第１の主面１２４に位置決め穴が配置され、第２の光学部品２２の第２の主面２２４に、嵌合時に位置決め穴に挿入される位置決めピンが配置される。位置決め穴及び位置決めピンは、それぞれ２つずつ配置される。
【０１１５】
位置決めピン及び位置決め穴はそれぞれ、嵌合した際に、第１の凸部１２３及び第２の凸部２２３により形成される壁の外側又は内側に位置するように設けられる。
【０１１６】
このように第１の光学部品１２、第２の光学部品２２のそれぞれに位置決めピン、又は、位置決め穴を設けることにより、第１の光学部品１２と第２の光学部品２２との接合位置決め精度が向上する。
【０１１７】
尚、ここでは、第１の光学部品１２に位置決め穴、第２の光学部品２２に位置決めピンを設けたが、第１の光学部品１２に位置決めピン、第２の光学部品２２に位置決め穴を設けても良い。また、第１の光学部品１２に位置決め穴、位置決めピンを１つずつ設け、これらに対応して位置するように、第２の光学部品２２に位置決めピン、位置決め穴を１つずつ設けても良い。
【０１１８】
また、位置決めピン及び位置決め穴の数、配置場所は上述したもの限定されず、種々変更を加え得ることは勿論である。
【０１１９】
本実施形態においては、光学部品に位置決めピン及び位置決め穴を設けたが、ハウジングに位置決めピン及び位置決め穴を設けてもよい。これにより、ハウジング間の位置決め精度が向上し、これらハウジングに保持される第１の光学部品と第２の光学部品との接合位置決め精度が向上する。
【０１２０】
尚、上述のように、光学部品に位置決めピン及び位置決め穴を設けた方が好ましく、より光学部品間の接合位置決め精度が向上する。また、互いに接合する第１及び第２の光学部品に位置決めピン及び位置決め穴を設けた構成に加えて、互いに嵌合する第１及び第２のハウジングに位置決めピン及び位置決め穴を設けてもよい。
【０１２１】
＜第２の実施形態＞
第１の実施形態の光伝送システムの光接続部における相互に嵌合するコネクタでは、第１のコネクタの第１の凸部と第２のコネクタの第２の凸部とが互いに合同な形状であったが、合同な形状でなくてもよい。
【０１２２】
また、第１の実施形態においては、相互に嵌合するコネクタの一方のコネクタにのみ付勢機構を設けたが、双方のコネクタに付勢機構を設けてもよい。
【０１２３】
以下、第２の実施形態として、図面を用いて、光伝送システムでの光接続部におけるコネクタの他の形態について説明する。第１の実施形態と相違する点について主に説明し、第１の実施形態と同様の構成については同様の符号を付し、その説明を省略する場合がある。
【０１２４】
第２の実施形態における光接続部のコネクタでは、第１の実施形態と比較して、第１のコネクタ及び第２のコネクタのそれぞれに設けられる第１の凸部と第２の凸部とが互いに合同な形状でない点、第１のコネクタと第２のコネクタの双方が付勢機構を有する点で、相違する。
【０１２５】
図６は、第２の実施形態における光接続部の部分拡大断面図であり、第１のコネクタ５１０の第１の光学部品５１２と第２のコネクタ５２０の第２の光学部品５２２の構造を説明する図である。
【０１２６】
図７は、第２の実施形態における第１のコネクタ５１０と第２のコネクタ５２０との嵌合時における、第１の光学部品５１２と第２の光学部品５２２の光接続時の構造を説明する図である。
【０１２７】
図８は、第１のコネクタ５１０と第２のコネクタ５２０との光接続部分の概略断面図である。図８は、図７のVIII−VIII線で切断した断面図に相当する。
図６〜図８において、第１のハウジング１１及び第２のハウジング２１の図示を省略している。
【０１２８】
第１のコネクタ５１０は、第１の光学部品５１２と、第１の付勢機構としての第１の付勢バネ１３と、第１のハウジング（図示せず）と、を備える。
第１のハウジングは、第１の光学部品５１２と第１の付勢バネ１３とを保持する。
【０１２９】
第２のコネクタ５２０は、第２の光学部品５２２と、第２の付勢機構としての第２の付勢バネ２３と、第２のハウジング（図示せず）と、を備える。
第２のハウジングは、第２の光学部品５２２と第２の付勢バネ２３とを保持する。
【０１３０】
第１の光学部品５１２は、第１の本体１２１と、第１のレンズ１２２と、第１の凸部５１２３と、を有する。第１の本体１２１と、第１のレンズ１２２と、第１の凸部５１２３は一体成型される。
【０１３１】
第２の光学部品５２２は、第２の本体２２１と、第２のレンズ２２２と、第２の凸部５２２３と、を有する。第２の本体２２１と、第２のレンズ２２２と、第２の凸部５２２３とは一体成型される。
【０１３２】
第１の凸部５１２３（第２の凸部５２２３）は、第１の主面１２４（第２の主面２２４）を平面視したときに矩形の額縁の平面形状を有する。第１の凸部５１２３（第２の凸部５２２３）は、第１の主面１２４（第２の主面２２４）に対し垂直な高さ方向において、額縁の幅が均一となっている。第１の凸部５１２３（第２の凸部５２２３）の頂部は、第１の主面１２４（第２の主面２２４）と平行な平坦面である。
【０１３３】
第１の凸部５１２３と第２の凸部５２２３とは、平面形状における額縁の外縁形状が相似であり、また、額縁の内縁形状においても相似である。第１の凸部５１２３と第２の凸部５２２３の平面形状における額縁の幅は同じである。
【０１３４】
第１の凸部５１２３及び第２の凸部５２２３の、第１の主面１２４及び第２の主面２２４それぞれに対し垂直な方向における高さは同じである。
第１の凸部５１２３及び第２の凸部５２２３のそれぞれの高さは、第１のレンズ１２２の高さと第２のレンズ２２２の高さとの合計の値よりも大きい値となるように設定される。
【０１３５】
第２の凸部５２２３の平面形状における額縁の外縁の大きさは、第１の凸部５１２３の平面形状における額縁の内縁の大きさよりやや小さい、或いは、同じとなっている。
【０１３６】
第１のコネクタ５１０と第２のコネクタ５２０とを嵌合したとき、第１の凸部５１２３の頂部は第２の主面２２４に当接し、第２の凸部５２２３の頂部は第１の主面１２４に当接する。
【０１３７】
第１の付勢バネ１３は、第１の光学部品５１２を第１の主面１２４に垂直な方向であって第１の凸部５１２３が第１の主面１２４から突出する方向に付勢する。
第２の凸部５２２３は、第１の付勢バネ１３により、第２の凸部５２２３が第２の主面２２４から突出する方向と反対の方向に付勢されて、第１の光学部品５１２と第１の主面１２４側で当接する。つまり、第２の凸部５２２３は、第１の光学部品５１２から押圧されて第１の光学部品５１２と第１の主面１２４側で当接する。
【０１３８】
第２の付勢バネ２３は、第２の光学部品５２２を第２の主面２２４に垂直な方向であって第２の凸部５２２３が第２の主面２２４から突出する方向に付勢する。
第１の凸部５１２３は、第２の付勢バネ２３により、第１の凸部５１２３が第１の主面１２４から突出する方向と反対の方向に付勢されて、第２の光学部品５２２と第２の主面２２４側で当接する。つまり、第１の凸部５１２３は、第２の光学部品５２２から押圧されて第２の光学部品５２２と第２の主面２２４側で当接する。
【０１３９】
図示しないロック部により第１のコネクタ５１０と第２のコネクタ５２０とが嵌合した状態で、第１の付勢バネ１３及び第２の付勢バネ２３は縮設される。
【０１４０】
第１の付勢バネ１３及び第２の付勢バネ２３が縮設されることにより、第１の光学部品５１２と第２の光学部品５２２は、互いに対向配置される第１の主面１２４と第２の主面２２４とが近づくように、第１の光学部品５１２と第２の光学部品５２２は付勢される。
【０１４１】
第１の付勢バネ１３及び第２の付勢バネ２３により、第１の凸部５１２３の頂部は第２の主面２２４に押圧されて第２の主面２２４に当接され、第２の凸部５２２３の頂部は第１の主面１２４に押圧されて第１の主面１２４に当接される。
【０１４２】
これにより、第１の主面１２４と第２の主面２２４との間に、第２の凸部５２２３により密閉空間が形成される。この密閉空間内に、第１のレンズ１２２及び第２のレンズ２２２は配置される。
更に、第１の主面１２４と第２の主面２２４との間に、第１の凸部５１２３によって第２の凸部５２２３が囲まれる。
【０１４３】
このように、本実施形態においては、第１の主面１２４と第２の主面２２４との間に、第１の凸部５１２３及び第２の凸部５２２３により、第１のレンズ１２２及び第２のレンズ２２２を囲むように二重の壁が配置される。
【０１４４】
これにより、図７に示すように、第１のレンズ１２２及び第２のレンズ２２２が配置される空間へのごみや水分３０の侵入が、第２の凸部５２２３及び第１の凸部５１２３により抑制される。
【０１４５】
その結果、ごみや水分３０の侵入によって第１のレンズ１２２と第２のレンズ２２２との間で光信号が減衰し、光伝送が滞るということが抑制される。したがって、このようなコネクタによる光接続を備える光伝送システムにおいては、例えば湿度の高い環境下においても良好な光伝送特性を得ることができる。
【０１４６】
また、本実施形態では、第１の凸部５１２３及び第２の凸部５２２３により二重の壁が配置されるので、外部からのごみや水分３０の侵入経路を長くとることができ、ごみや水分３０の侵入が更に抑制される。
【０１４７】
また、本実施形態において、第２の凸部５２２３の平面形状における額縁の外縁の大きさを、第１の凸部５１２３の平面形状における額縁の内縁の大きさよりやや小さくすることにより、第１の凸部５１２３と第２の凸部５２２３の劣化が抑制される。
【０１４８】
すなわち、第１の凸部１２３の頂部が第２の主面２２４に押し付けられ、第２の凸部２２３の頂部が第１の主面１２４に押し付けられて当接され、第１の凸部５１２３内に第２の凸部５２２３が第１の凸部５１２３と間隙を持って配置可能に第１の凸部５１２３と第２の凸部５２２３の大きさが設定されることにより、第１のコネクタ５１０と第２のコネクタ５２０とが繰り返し挿抜されても、第１の凸部５１２３と第２の凸部５２２３とが擦れて摩耗するということが抑制され、第１の凸部５１２３と第２の凸部５２２３の劣化が抑制される。
これにより、長期にわたって安定した光伝送特性を提供することが可能となる。
【０１４９】
また、本実施形態においても第１の実施形態と同様に、第１の光学部品５１２（第２の光学部品５２２）において、第１の本体１２１（第２の本体２２１）と、第１のレンズ１２２（第２のレンズ２２２）と、第１の凸部５１２３（第２の凸部５２２３）とは一体成型されているので、光ケーブル１６の光ファイバ（光ファイバ２６）と第１のレンズ１２２（第２のレンズ２２２）との位置合わせが容易となる。
【０１５０】
更に、第１の本体１２１（第２の本体２２１）の第１の主面１２４（第２の主面２２４）上に、第１のレンズ１２２（第２のレンズ２２２）に対して位置精度よく第１の凸部５１２３（第２の凸部５２２３）を形成することができる。
その結果、第１のコネクタ５１０と第２のコネクタ５２０との嵌合時の第１の凸部５１２３と第２の凸部５２２３との配置精度を良好なものとすることができる。
【０１５１】
＜第３の実施形態＞
第１の実施形態においては、第１の凸部１２３と第２の凸部２２３の頂部はそれぞれ第１の主面１２４、第２の主面２２４と平行な面であったが、凸部の頂部の形状はこれに限定されない。
【０１５２】
以下、第３の実施形態として、図面を用いて、光伝送システムの光接続部における相互に嵌合するコネクタの他の形態について説明する。第１の実施形態と相違する点について主に説明し、第１の実施形態と同様の構成については同様の符号を付し、その説明を省略する場合がある。
【０１５３】
第３の実施形態における光接続部のコネクタでは、第１の実施形態と比較して、コネクタに設けられる凸部の頂部が本体の主面と平行ではない点、双方のコネクタに付勢機構を設けている点で、相違する。
【０１５４】
図９は、第３の実施形態における光接続部の部分拡大断面図であり、第１のコネクタ６１０の第１の光学部品６１２と第２のコネクタ６２０の第２の光学部品６２２の光接続時の構造を説明する図である。図９において、第１のハウジング１１及び第２のハウジング２１の図示を省略している。
【０１５５】
第１のコネクタ６１０は、第１の光学部品６１２と、第１の付勢機構としての第１の付勢バネ１３と、第１のハウジング（図示せず）と、を備える。
第１のハウジングは、第１の光学部品６１２と第１の付勢バネ１３とを保持する。
【０１５６】
第２のコネクタ６２０は、第２の光学部品６２２と、第２の付勢機構としての第２の付勢バネ２３と、第２のハウジング（図示せず）と、を備える。
第２のハウジングは、第２の光学部品６２２と第２の付勢バネ２３とを保持する。
【０１５７】
第１の光学部品６１２は、第１の本体１２１と、第１のレンズ１２２と、第１の凸部６１２３とを有する。第１の本体１２１と、第１のレンズ１２２と、第１の凸部６１２３とは一体成型される。
第２の光学部品６２２は、第２の本体２２１と、第２のレンズ２２２と、第２の凸部６２２３とを有する。第２の本体２２１と、第２のレンズ２２２と、第２の凸部６２２３とは一体成型される。
【０１５８】
第１の凸部６１２３（第２の凸部６２２３）は、第１の主面１２４（第２の主面２２４）を平面視したときに矩形の額縁の平面形状を有する。
【０１５９】
第１の凸部６１２３の額縁の外縁に相当する外側面は第１の主面１２４に対して垂直に設けられている。第１の凸部６１２３の額縁の内縁に相当する内側面は、第１の主面１２４から第１の凸部６１２３が突出する方向に向って額縁の幅が徐々に狭くなるテーパ形状部分を有している。
【０１６０】
第２の凸部６２２３の額縁の内縁に相当する内側面は第２の主面２２４に対して垂直に設けられている。第２の凸部６２２３の額縁の外縁に相当する外側面は、第２の主面２２４から第２の凸部６２２３が突出する方向に向って額縁の幅が徐々に狭くなるテーパ形状部分を有している。
【０１６１】
第１のコネクタ６１０と第２のコネクタ６２０とを嵌合したとき、第１の凸部６１２３の内側面と第２の凸部６２２３の外側面とが互いに押圧されて当接する。これにより、第１の主面１２４と第２の主面２２４との間に、第１の凸部６１２３と第２の凸部６２２３とにより密閉空間が形成される。この密閉空間内に、第１のレンズ１２２及び第２のレンズ２２２は配置される。
【０１６２】
図９に示すように、密閉空間内へのごみや水分３０の侵入が、第１の凸部６１２３及び第２の凸部６２２３により抑制される。その結果、ごみや水分３０の侵入によって第１のレンズ１２２と第２のレンズ２２２との間で光信号が減衰し、光信号伝送が滞るということが抑制される。したがって、このようなコネクタによる光接続を備える光伝送システムにおいては、例えば湿度の高い環境下においても良好な光伝送特性を得ることができる。
【０１６３】
以上、本技術の各実施形態について説明したが、本技術は上述の実施形態にのみ限定されるものではなく、本技術の要旨を逸脱しない範囲内において種々変更を加え得ることは勿論である。
【０１６４】
例えば、上述の各実施形態においては、第１の光学部品及び第２の光学部品の双方に、凸部を設けたが、いずれか一方の光学部品に凸部を設ける構成としてもよい。
【０１６５】
また、上述の実施形態においては、第１の凸部と第２の凸部の高さを同じとしたが、第１の凸部の高さと第２の凸部の高さが異なっていてもよく、２つの光学部品が当接したときに第１のレンズと第２のレンズとが離間して配置されるように、各光学部品の凸部の高さを設定すればよい。
【０１６６】
また、第１の実施形態においては、第２のコネクタに付勢機構を設けたが、第２のコネクタに付勢機構は設けず、第１のコネクタに付勢機構を設けても良い。或いは、第１のコネクタ及び第２のコネクタの双方にそれぞれ付勢機構を設けても良い。
【０１６７】
また、第２及び第３の実施形態では、第１のコネクタ及び第２のコネクタの双方にそれぞれ付勢機構を設けたが、いずれか一方のコネクタのみに付勢機構を設けてもよい。
【０１６８】
このように、互いに嵌合する２つのコネクタの少なくともいずれか一方に、嵌合したときにレンズを囲む壁部となるように凸部を設ければよい。更に、互いに嵌合する２つのコネクタの少なくともいずれか一方に付勢機構を設ければよい。
【０１６９】
また、上述の各実施形態において、凸部の平面形状がいずれも矩形を有していたがこれに限定されず、少なくともレンズを囲むように凸部を設ければよい。例えば、光学部品に設けられるレンズの数が１つの場合、円形の額縁の平面形状を有する凸部としてもよい。
【０１７０】
また、上述の実施形態において、光電変換部を電子機器内に設ける例をあげたが、これに限定されない。
【０１７１】
例えば、コネクタ付き光ケーブル３００と、光電変換部を備えないテレビ、パーソナルコンピュータやオーディオ機器などの電子機器とを光接続する場合、コネクタ付き光ケーブル３００と、テレビ、パーソナルコンピュータやオーディオ機器などの電子機器との間に、光信号と電気信号との変換を行う光電変換器を設けてもよい。
【０１７２】
光電変換器は、コネクタ付きケーブルから入力された光信号を電気信号に変換して電子機器に出力する。或いは、光電変換器は、電子機器から入力された電気信号を光信号に変換してコネクタ付きケーブルに出力する。
【０１７３】
この場合、光ケーブルと光電変換器との間の光接続に、上述の各実施形態で説明した第１のコネクタ及び第２のコネクタを用いることができる。
【０１７４】
なお、本技術は以下のような構成もとることができる。
（１）主面を有する光伝送路を支持する本体と、前記本体と一体成型されて前記主面に配置されたレンズと、前記本体と一体成型され前記主面に前記レンズを囲むように設けられた凸部とを有する光学部品と、
前記光学部品を前記主面に垂直な方向であって前記凸部が前記主面から突出する方向に付勢する付勢機構と
を具備するコネクタ。
（２）主面を有する光伝送路を支持する本体と、前記本体と一体成型されて前記主面に配置されたレンズと、前記本体と一体成型され前記主面に前記レンズを囲むように設けられた凸部とを有する光学部品
を具備し、
前記光学部品は、相手方コネクタから、前記主面に垂直な方向であって前記凸部が前記主面から突出する方向とは反対方向に付勢される
コネクタ。
（３）前記（２）に記載のコネクタであって、
前記相手方コネクタは光学部品を有し、
前記コネクタの光学部品が前記相手方コネクタの光学部品から押圧された状態を前記付勢機構による付勢力に抗して保持するロック部
を更に具備するコネクタ。
（４）前記（２）又は（３）に記載のコネクタであって、
前記コネクタの光学部品を前記主面に垂直な方向であって前記凸部が前記主面から突出する方向に付勢する付勢機構
を更に具備する
コネクタ。
（５）前記（２）〜（４）のいずれか１つに記載のコネクタであって、
前記相手方コネクタの光学部品は、前記主面に対向する対向面を有する光伝送路を支持する本体と、前記対向面に設けられた前記本体と一体成型された凸部を有し、
前記コネクタの凸部は、前記相手方コネクタの付勢機構により前記相手方コネクタの凸部から押圧される
コネクタ。
（６）前記（２）〜（４）のいずれか１つに記載のコネクタであって、
前記相手方コネクタの光学部品は、前記主面に対向する対向面を有する光伝送路を支持する本体と、前記対向面に設けられた前記本体と一体成型された凸部を有し、
前記コネクタの凸部は、前記相手方コネクタの付勢機構により前記相手方コネクタから前記対向面で押圧され、
前記主面は、前記相手方コネクタの付勢機構により前記相手方コネクタの光学部品の凸部から押圧される
コネクタ。
（７）光伝送路と、
主面を有する前記光伝送路の一端部を支持する本体と、前記本体と一体成型されて前記主面に配置されたレンズと、前記本体と一体成型され前記主面に前記レンズを囲むように設けられた凸部とを有する光学部品と、前記光学部品を前記主面に垂直な方向であって前記凸部が前記主面から突出する方向に付勢する付勢機構とを備えるコネクタと
を具備する通信線。
（８）光伝送路と、
主面を有する前記光伝送路の一端部を支持する本体と、前記本体と一体成型されて前記主面に配置されたレンズと、前記本体と一体成型され前記主面に前記レンズを囲むように設けられた凸部とを有する光学部品を備えるコネクタと
を具備し、
前記光学部品は、前記コネクタと接合する相手方コネクタから、前記主面に垂直な方向であって前記凸部が前記主面から突出する方向とは反対方向に付勢される
通信線。
（９）主面を有する光伝送路を支持する本体と、前記本体と一体成型されて前記主面に配置されたレンズと、前記本体と一体成型され前記主面に前記レンズを囲むように設けられた凸部とを有する光学部品と、前記光学部品を前記主面に垂直な方向であって前記凸部が前記主面から突出する方向に付勢する付勢機構とを備えるコネクタと、
前記光伝送路からの信号を受信又は前記光伝送路へ信号を送信する伝達部と
を具備する電子機器。
（１０）主面を有する光伝送路を支持する本体と、前記本体と一体成型されて前記主面に配置されたレンズと、前記本体と一体成型され前記主面に前記レンズを囲むように設けられた凸部とを有する光学部品を備えるコネクタと、
前記光伝送路から信号を受信又は前記光伝送路へ信号を送信する伝達部と
を具備し、
前記光学部品は、前記コネクタと接合する相手方コネクタから、前記主面に垂直な方向であって前記凸部が前記主面から突出する方向とは反対方向に付勢される
電子機器。
（１１）主面を有する光伝送路を支持する本体と、前記本体と一体成型されて前記主面に配置されたレンズと、前記本体と一体成型され前記主面に前記レンズを囲むように設けられた凸部とを有する光学部品と、前記光学部品を前記主面に垂直な方向であって前記凸部が前記主面から突出する方向に付勢する付勢機構とを備えるコネクタと、
前記主面と対向配置される対向面を有する光伝送路を支持する本体と、前記対向面を有する本体と一体成型されて前記対向面に配置されたレンズとを有する光学部品を備え、前記コネクタと接合する相手方コネクタと
を具備し、
前記凸部は、前記コネクタの光学部品が前記付勢機構により付勢されて、前記相手方コネクタの光学部品を前記対向面側で押圧する
光伝送システム。
（１２）主面を有する光伝送路を支持する本体と、前記本体と一体成型されて前記主面に配置されたレンズと、前記本体と一体成型され前記主面に前記レンズを囲むように設けられた凸部とを有する光学部品を備えるコネクタと、
前記主面と対向配置される対向面を有し光伝送路を支持する本体と、前記対向面を有する本体と一体成型されて前記対向面に配置されたレンズとを有する光学部品と、付勢機構とを備え、前記コネクタと接合する相手方コネクタと
を具備し、
前記凸部は、前記相手方コネクタの光学部品が前記付勢機構により前記主面に垂直な方向であって前記凸部が前記主面から突出する方向と反対の方向に付勢されて、前記相手方コネクタの光学部品から前記対向面側で押圧される
光伝送システム。
（１３）前記（１１）又は（１２）に記載の光伝送システムであって、
前記コネクタの光学部品と前記相手方コネクタの光学部品とが押圧されて当接した状態を前記付勢機構による付勢力に抗して保持するロック部
を更に具備する光伝送システム。
【符号の説明】
【０１７５】
１…光伝送システム
１０、５１０、６１０…第１のコネクタ（コネクタ、相手方コネクタ）
１１…第１のハウジング（ハウジング）
１２、５１２、６１２…第１の光学部品（光学部品）
１３…第１の付勢バネ（付勢機構）
１６…光ケーブル（光伝送路）
１７…ロック孔
２０、５２０、６２０…第２のコネクタ（コネクタ、相手方コネクタ）
２１…第２のハウジング（ハウジング）
２２、５２２、６２２…第２の光学部品
２３…第２の付勢バネ（付勢機構）
２６…光ファイバ（光伝送路）
２７…ロック部材
７０…ロック部
１００…第１の電子機器（電子機器）
１０１、２０１…送信／受信部（伝達部）
１２１…第１の本体（本体）
１２２…第１のレンズ（レンズ）
１２３、５１２３、６１２３…第１の凸部（凸部）
１２４…第１の主面（主面、対向面）
２００…第２の電子機器（電子機器）
２２１…第２の本体（本体）
２２２…第２のレンズ（レンズ）
２２３、５２２３、６２２３…第２の凸部（凸部）
２２４…第２の主面（主面、対向面）
３００…コネクタ付き光ケーブル（通信線）
【図１】
2019097911.tif 000003
【図２】
2019097911.tif 000004
【図３】
2019097911.tif 000005
【図４】
2019097911.tif 000006
【図５】
2019097911.tif 000007
【図６】
2019097911.tif 000008
【図７】
2019097911.tif 000009
【図８】
2019097911.tif 000010
【図９】
2019097911.tif 000011
【国際調査報告】
2019097911.tif 000012
2019097911.tif 000013
2019097911.tif 000014
2019097911.tif 000015